(57)【特許請求の範囲】
【請求項１】
全体が直方体の箱形状をなし、その底部を構成する底部ベースと上部を構成する上部枠との間に、１対の跳上側壁と１対の折曲側壁とがそれぞれ対向配置され、
前記跳上側壁が、上端部のみを前記上部枠に回動可能に連結される一方、
前記折曲側壁が、上下の両端部を前記上部枠と前記底部ベースとに回動可能に連結されると共に上下方向の中央に備えた中間ヒンジで上側折曲側壁と下側折曲側壁とに分割されて内側に２つ折り可能に構成され、
さらに、前記上側及び下側の折曲側壁の各外面には、外縁部から突出した外縁枠形突部と、前記外縁枠形突部に囲まれた中央平坦部とが備えられて、前記外縁枠形突部のうち前記中間ヒンジから離れた直線部分にそれぞれ備えた水平リブが、前記折曲側壁を２つ折りにしたときに互いに突き合わされる折畳コンテナにおいて、
前記下側折曲側壁に、前記中央平坦部から突出して前記水平リブとの間にカードホルダの下端部の帯状板を挟んで固定可能なホルダ係止突部を設け、
前記下側折曲側壁の前記水平リブのうち前記ホルダ係止突部と対向部分の先端を、その水平リブ全体の先端に対して部分的に先方に突出させてリブ先端突部を形成する一方、前記上側折曲側壁の前記水平リブの先端部の一部を切除して、前記リブ先端突部を受容可能なリブ先端凹部を形成し、
前記底部ベースのうち前記下側折曲側壁との連結部分は、前記底部ベースの外縁部から起立した外縁突壁と前記底部ベースの上面との角部内側に配置され、
前記リブ先端突部の下面に、下面突部を形成すると共に、前記外縁突壁の上面に、その上面内縁側の一部を陥没させて、前記下面突部を受容する上面陥没部を形成し、前記下面突部以外の前記リブ先端突部の先端面を、前記外縁突壁の上面の上方に配置したことを特徴とする折畳コンテナ。
【発明の詳細な説明】
【技術分野】
【０００１】
本発明は、上下に対向配置された底部ベースと上部枠との間に１対の跳上側壁と１対の折曲側壁とを備え、１対の跳上側壁をそれらの上端部を中心に内側に回動してから、１対の折曲側壁を内側に２つ折りに畳むことが可能な折畳コンテナに関する。
【背景技術】
【０００２】
図１８に示すように、外側面にカードホルダ１が取り付け可能なコンテナが知られている。そのカードホルダ１は、帯状板１Ａから上方に可撓片１Ｂを突設した構造をなし、コンテナは、外側面の下端部から突出した１対のホルダ係止突部３，３と下端フランジ２とを備え、それらホルダ係止突部３，３と下端フランジ２との間で帯状板１Ａを挟んで固定する構造になっている（例えば、特許文献１参照）。また、このようなカードホルダ１を折畳コンテナの折曲側壁に取り付けたいというニーズがある。そのカードホルダ１を取り付けるためのスペースを折曲側壁に備えた折畳コンテナとして、図１９に示したものが知られている（例えば、特許文献２参照）。この折畳コンテナの上側及び下側の折曲側壁４，５は、外面の外縁部から突出した外縁枠形突部４Ａ，５Ａの内側に中央平坦部４Ｂ，５Ｂを備えた構造になっていて、その下側折曲側壁５の中央平坦部５Ｂにカードホルダ１を配置することができる。そして、中央平坦部５Ｂの下端寄り位置に図示しないホルダ係止突部を突出形成して、外縁枠形突部５Ａの下辺部の水平リブ５Ｌとの間で、上記したカードホルダ１の帯状板１Ａを挟んで固定することができると考えられる。
【先行技術文献】
【特許文献】
【０００３】
【特許文献１】実公平４−９３２３号公報（第１図、第３図）
【特許文献２】特開２００９−９０９８８号公報（第１図、第６図）
【発明の概要】
【発明が解決しようとする課題】
【０００４】
ところで、上記した折畳コンテナは、図２０に示すように、折畳状態で上側及び下側の折曲側壁４，５の外面が接合するように折り畳まれて、底部ベース６及び上部枠７の内側に収納される。そして、上側及び下側の折曲側壁４，５が薄いほど、折畳コンテナの折畳状態が上下にコンパクトになる。ところが、下側折曲側壁５を薄くすると、上記した水平リブ５Ｌの突出量も小さくなるので、カードホルダ１の帯状板１Ａが幅方向で傾動するようにぐらつき易く、カードホルダ１の固定が不安定になるという問題が生じる。
【０００５】
本発明は、上記事情に鑑みてなされたもので、折畳状態の折畳コンテナを大きくすることなく、カードホルダを安定して固定可能な折畳コンテナの提供を目的とする。
【課題を解決するための手段】
【０００６】
上記目的を達成するためになされた請求項１の発明に係る折畳コンテナは、全体が直方体の箱形状をなし、その底部を構成する底部ベースと上部を構成する上部枠との間に、１対の跳上側壁と１対の折曲側壁とがそれぞれ対向配置され、跳上側壁が、上端部のみを上部枠に回動可能に連結される一方、折曲側壁が、上下の両端部を上部枠と底部ベースとに回動可能に連結されると共に上下方向の中央に備えた中間ヒンジで上側折曲側壁と下側折曲側壁とに分割されて内側に２つ折り可能に構成され、さらに、上側及び下側の折曲側壁の各外面には、外縁部から突出した外縁枠形突部と、外縁枠形突部に囲まれた中央平坦部とが備えられて、外縁枠形突部のうち中間ヒンジから離れた直線部分にそれぞれ備えた水平リブが、折曲側壁を２つ折りにしたときに互いに突き合わされる折畳コンテナにおいて、下側折曲側壁に、中央平坦部から突出して水平リブとの間にカードホルダの下端部の帯状板を挟んで固定可能なホルダ係止突部を設け、下側折曲側壁の水平リブのうちホルダ係止突部と対向部分の先端を、その水平リブ全体の先端に対して部分的に先方に突出させてリブ先端突部を形成する一方、上側折曲側壁の水平リブの先端部の一部を切除して、リブ先端突部を受容可能なリブ先端凹部を形成し、底部ベースのうち下側折曲側壁との連結部分は、底部ベースの外縁部から起立した外縁突壁と底部ベースの上面との角部内側に配置され、リブ先端突部の下面に、下面突部を形成すると共に、外縁突壁の上面に、その上面内縁側の一部を陥没させて、下面突部を受容する上面陥没部を形成し、下面突部以外のリブ先端突部の先端面を、外縁突壁の上面の上方に配置したところに特徴を有する。
【発明の効果】
【０００８】
請求項１の折畳コンテナでは、下側折曲側壁の水平リブのうちホルダ係止突部と対向部分の先端を部分的に先方に突出させてリブ先端突部を形成したので、カードホルダの帯状板のうち水平リブとホルダ係止突部とに挟まれる部分が、帯状板の幅方向で大きくなる。これにより、カードホルダの帯状板の幅方向における傾動が抑えられ、カードホルダを安定して固定することができる。また、上側折曲側壁の水平リブには、先端部の一部を切除してリブ先端凹部が形成され、折曲側壁を折り畳んだときに、リブ先端凹部にリブ先端突部が受容されるので、折畳状態の折畳コンテナが従来に比べて大きくなることはない。即ち、折畳状態の折畳コンテナを大きくすることなく、カードホルダを安定して固定可能な折畳コンテナを提供することができる。
また、底部ベースにおける外縁突壁の上面内縁側の一部を陥没させてなる上面陥没部にリブ先端突部の下面突部が受容された状態になっているので、カードホルダの取り付け時に帯状板が誤って底部ベースの外縁突壁とリブ先端突部との間に差し込まれてしまうような不具合を防ぐことができる。
【図面の簡単な説明】
【００１０】
【図１】本発明の一実施形態に係る折畳コンテナの斜視図
【図２】（Ａ）上部枠の上面側斜視図、（Ｂ）上部枠の下面側斜視図
【図３】底部ベースの上面側斜視図
【図４】跳上側壁の外面側斜視図
【図５】折曲側壁の外面側斜視図
【図６】下側折曲側壁のうちホルダ係止突部の近傍の斜視図
【図７】下側折曲側壁のうちホルダ係止突部の近傍の一部破断斜視図
【図８】カードホルダを保持した下側折曲側壁及び底部ベースの一部破断斜視図
【図９】カードホルダを保持した下側折曲側壁及び底部ベースの側断面図
【図１０】上側折曲側壁のうちリブ先端凹部の近傍の斜視図
【図１１】上側折曲側壁及び上部枠のうちリブ先端凹部の近傍の斜視図
【図１２】カードホルダの斜視図
【図１３】カードを保持した状態のカードホルダ及び折曲側壁の斜視図
【図１４】上面蓋を全開にした折畳コンテナの斜視図
【図１５】折畳状態の折畳コンテナの斜視図
【図１６】折畳状態の折畳コンテナの側断面図
【図１７】リブ先端突部がリブ先端凹部に受容された状態の折畳コンテナの側断面図
【図１８】従来のコンテナにカードホルダを取り付けた状態の斜視図
【図１９】従来の折畳コンテナの組立状態の斜視図
【図２０】従来の折畳コンテナの折畳状態の斜視図
【発明を実施するための形態】
【００１１】
以下、本発明の一実施形態を図１〜図１７に基づいて説明する。図１に示すように、本実施形態の折畳コンテナ１０は、全体が直方体の箱形状をなした樹脂成形品であって、その底部を構成する底部ベース１１と上部を構成する上部枠２０との間に、１対ずつの折曲側壁３０，３０と跳上側壁４０，４０とが組み付けられ、さらに、上部枠２０の上面に１対の上面蓋５０，５０が組み付けられた構造になっている。
【００１２】
図２（Ａ）に示すように、上部枠２０は長方形の枠状になっている。その上部枠２０の１対の長辺部分における上面には、蓋回動支持部２０Ｅ，２０Ｅが形成され、それら各蓋回動支持部２０Ｅに上面蓋５０が回動可能に連結されている（図１及び図１４参照）。また、上部枠２０の１対の短辺部分における上面には、それぞれ１対ずつ計４つの上面突部２２が突出形成され、それら上面突部２２が図１に示すように、上面蓋５０に貫通形成された係合孔５１を通過して上面蓋５０の上方に突出するようになっている。また、図２（Ａ）に示すように、上部枠２０の１対の短辺部分における内面には、その長手方向の中央に閉止孔２４が形成され、各上面蓋５０に組み付けられた係止スライダ６０（図１参照）をスライドさせて閉止孔２４に係合させることで上面蓋５０を閉止状態に保持することができるようになっている。
【００１３】
図２（Ｂ）に示すように、上部枠２０の長辺部分及び短辺部分は共に断面形状が下方に開放した溝形構造になっている。その溝形構造で溝開口を挟んで対向した外側枠側壁２０Ａ及び内側枠側壁２０Ｂは、外側枠側壁２０Ａが内側枠側壁２０Ｂより下方に長く延びると共に、上部枠２０の短辺部分における内側枠側壁２０Ｂの下端が、長辺部分における内側枠側壁２０Ｂの下端より上方に位置している。そして、上部枠２０の長辺部分における外側枠側壁２０Ａの下端部内面に長辺側回動支持部２０Ｄ，２０Ｄが形成される一方、上部枠２０の１対の短辺部分における外側枠側壁２０Ａの内面に短辺側回動支持部２０Ｃ，２０Ｃが形成されている。
【００１４】
なお、各上面蓋５０は、その外縁部全体を構成する不透明な樹脂製の枠部材５０Ｈと、その枠部材５０Ｈの内側開口を閉塞した無色透明な樹脂製の窓板部材５０Ｇとの一体成形品になっている。
【００１５】
図３に示すように、底部ベース１１は、平面形状が上部枠２０と同じ長方形をなし、上面外縁部全体から外縁突壁１１Ｓが突出して全体がトレイ状になっている。その外縁突壁１１Ｓにおける１対の長辺部分の内側には、折曲側壁３０の下端部を回動可能に連結するためのヒンジ構成部１１Ｄが備えられている。一方、外縁突壁１１Ｓにおける１対の短辺部分の内側には、跳上側壁４０の下端部と凹凸係合して跳上側壁４０を起立状態に係止するための起立係止部１１Ｒが備えられている。
【００１６】
跳上側壁４０は、図４に示すように、例えば、全体が略正方形で平板状の主要板部４９にリブ等を設けて補強した構造になっている。具体的には、跳上側壁４０には、主要板部４９の両側縁部を下端部から上端寄り位置に亘って外側に膨出させて、左右に１対ずつ計４つの膨出突部４１が形成されている。また、跳上側壁４０の下端部には、跳上側壁４０の横方向全体に亘って下側水平リブ４２が形成される一方、跳上側壁４０の上端部には、跳上側壁４０の横方向全体に亘って上側水平リブ４５が形成されている。そして、これら膨出突部４１と下側及び上側の水平リブ４２，４５によって外縁枠形突部４０Ｚが構成され、その外縁枠形突部４０Ｚの内側が中央平坦部４０Ｙになっている。また、上側水平リブ４５より上側部分は、上部枠２０の短辺側回動支持部２０Ｃに回動可能に連結される回動連結部４７になっていて、下側水平リブ４２より下側部分は、底部ベース１１の起立係止部１１Ｒと凹凸係合する起立係止部４０Ｒになっている。さらに、中央平坦部４０Ｙの上端部には、手掛用突壁４４が突出形成され、中央平坦部４０Ｙの下端部には、下側水平リブ４２との間に隙間を介して対向するように１対のホルダ係止突部４３，４３が突出形成されている。そのホルダ係止突部４３の形状及び機能は、後述する上側折曲側壁３１のホルダ係止突部３５と同じになっている。
【００１７】
なお、跳上側壁４０は、中央平坦部４０Ｙのうち外縁部を除く領域を構成する無色透明な樹脂製の窓板部材４０Ｇと、その窓板部材４０Ｇ以外の不透明な樹脂製の枠部材４０Ｈとの一体成形品になっている。
【００１８】
図１に示すように、折曲側壁３０は、中央の中間ヒンジ３３で上側折曲側壁３１と下側折曲側壁３２とに分割されて２つ折り可能になっている。その上側折曲側壁３１は、図５に示すように、例えば全体が横長の長方形になった平板状の主要板部３９にリブ等を設けて補強した構造になっている。具体的には、上側折曲側壁３１には、主要板部３９の両側縁部を外側に膨出させて上下方向に延びた１対の側縁膨出突部３１Ｃ，３１Ｃが形成されている。また、主要板部３９の下端寄り位置からは、下側水平リブ３１Ｂが突出していて、側縁膨出突部３１Ｃ，３１Ｃの下端寄り位置の間を連絡している。さらには、主要板部３９の上端部からは、上側水平リブ３１Ａ（本発明に係る「水平リブ」に相当する）が突出していて、側縁膨出突部３１Ｃ，３１Ｃの上端部間を連絡している。そして、これら１対の側縁膨出突部３１Ｃ，３１Ｃ、下側水平リブ３１Ｂ及び上側水平リブ３１Ａによって本発明に係る外縁枠形突部３１Ｚが構成され、その外縁枠形突部３１Ｚの内側が本発明に係る中央平坦部３１Ｙになっている。
【００１９】
上側折曲側壁３１のうち上側水平リブ３１Ａより上側部分は、上端連結部３１Ｆになっている。その上端連結部３１Ｆでは、上側水平リブ３１Ａの上面と主要板部３９の外面との間が複数の上端突部３１Ｅによって連絡され、上端突部３１Ｅ群及び主要板部３９の上端部が円弧状に湾曲している。さらに、上側折曲側壁３１の左右方向における複数位置では、上端突部３１Ｅ，３１Ｅの間で主要板部３９が切り欠かれ、それら切り欠かれた部分で対向した上端突部３１Ｅ，３１Ｅの対向面から連結突起３１Ｔが突出している。
【００２０】
主要板部３９の外面のうち下側水平リブ３１Ｂより下側部分には、上側折曲側壁３１の左右方向の複数位置に中間ヒンジ構成部３１Ｋが設けられている。中間ヒンジ構成部３１Ｋは、主要板部３９から突出した１対の対向片３１Ｎ，３１Ｎの間をヒンジ軸３１Ｍで連絡してなる。また、側縁膨出突部３１Ｃ，３１Ｃの互いの対向面の下端部からは、ヒンジ軸３１Ｍと同軸上にサイド軸部３１Ｐ，３１Ｐが突出している。
【００２１】
下側折曲側壁３２は、全体が上側折曲側壁３１と略同じ大きさの横長の長方形をなした平板状の主要板部３８にリブ等を設けて補強した構造になっている。具体的には、下側折曲側壁３２は、主要板部３８の外側に膨出しかつ上下方向に延びた側縁膨出突部３２Ｃ，３２Ｃを両側縁部に備えると共に、水平方向に延びた下側水平リブ３２Ｂ（本発明に係る「水平リブ」に相当する）を下端部に備えている。また、下側折曲側壁３２の上端部には、主要板部３８から膨出しかつ水平方向に延びた上縁膨出突部３２Ａが備えられている。そして、これら１対の側縁膨出突部３２Ｃ，３２Ｃ、下側水平リブ３２Ｂ及び上縁膨出突部３２Ａによって本発明に係る外縁枠形突部３２Ｚが構成され、その外縁枠形突部３２Ｚの内側が本発明に係る中央平坦部３２Ｙになっている。
【００２２】
下側折曲側壁３２のうち上縁膨出突部３２Ａの上面には、上側折曲側壁３１の中間ヒンジ構成部３１Ｋに対応して、複数の中間ヒンジ構成部３２Ｋが設けられている。下側折曲側壁３２は、上縁膨出突部３２Ａの上面から上方に突出した突壁３２Ｎに、下側折曲側壁３２の外面側に開放した丸溝３２Ｍを形成してなる。また、各中間ヒンジ構成部３２Ｋの両横には、上縁膨出突部３２Ａの一部を上方に延長してなる上端突部３２Ｒがそれぞれ形成されている。さらに、上縁膨出突部３２Ａの上面における長手方向の両端部には、丸溝３２Ｍの同軸上に１対の筒部３２Ｐ，３２Ｐが設けられている。そして、各中間ヒンジ構成部３２Ｋの突壁３２Ｎが中間ヒンジ構成部３１Ｋの対向片３１Ｎ，３１Ｎの間に受容されて、ヒンジ軸３１Ｍが丸溝３２Ｍと係合し、サイド軸部３１Ｐが筒部３２Ｐに係合することで、本発明に係る中間ヒンジ３３（図１参照）が構成されて、上側と下側の折曲側壁３１，３２とが回動可能に連結される。
【００２３】
下側折曲側壁３２のうち下側水平リブ３２Ｂより下側部分は、下端連結部３２Ｆになっている。下端連結部３２Ｆは、下側水平リブ３２Ｂの下面から突出しかつ下端部が半円形になった突片状の複数の下端突部３２Ｅを有し、所定の下端突部３２Ｅ，３２Ｅの間にヒンジ軸３２Ｄが差し渡された構造になっている。なお、ヒンジ軸３２Ｄを間に有していない幾つかの下端突部３２Ｅ，３２Ｅの外縁部の間には補強壁が差し渡されている。
【００２４】
さて、下側折曲側壁３２における中央平坦部３２Ｙの外面のうち下側水平リブ３２Ｂの上側近傍には、下側折曲側壁３２の横方向の中心に対して左右対称となる位置から１対のホルダ係止突部３５，３５が突出している。図７に示すように、ホルダ係止突部３５は、中央平坦部３２Ｙの外面から突出して下側水平リブ３２Ｂと対向した突片形状をなし、その先端下面の幅方向の中央に係止突起３５Ｃを備えている。また、係止突起３５Ｃには、ホルダ係止突部３５の基端側を向きかつ中央平坦部３２Ｙの外面と平行になった係止面３５Ｄと、その係止面３５Ｄの裏側に位置して下方に向かうに従って係止面３５Ｄ側に接近するように傾斜した傾斜ガイド面３５Ｅとが備えられている。
【００２５】
なお、図６に示すように、ホルダ係止突部３５の上面の両側縁部には、下側折曲側壁３２の外面とホルダ係止突部３５との間を連絡する三角リブ３５Ｂ，３５Ｂが突出形成されている。また、図９に示すように、下側水平リブ３２Ｂの上面３２Ｊは先端に向かうに従って僅かに下るように傾斜し、係止突起３５Ｃの下面も下側水平リブ３２Ｂの上面３２Ｊと平行に傾斜している。さらに、上面凹部３６Ｓの底面は、下側水平リブ３２Ｂの先端寄り位置より先方部分だけが下側水平リブ３２Ｂの上面３２Ｊと平行に傾斜し、下側水平リブ３２Ｂの先端寄り位置より基端側は水平になっている。
【００２６】
下側折曲側壁３２の下側水平リブ３２Ｂには、下側折曲側壁３２の横方向の中心に対して左右対称となる２位置に１対のリブ先端突部３６Ｔ，３６Ｔが形成されている。これらリブ先端突部３６Ｔは、下側水平リブ３２Ｂの一部を下側水平リブ３２Ｂ全体の先端に対して部分的に先方に突出させてなる。詳細には、図７に示すように、リブ先端突部３６Ｔにおける下側水平リブ３２Ｂ全体の先端からの突出量Ｌ２は、下側水平リブ３２Ｂのうちリブ先端突部３６Ｔを有しない部分における中央平坦部３２Ｙの外面からの突出量Ｌ１に対して、例えば、１／４〜１／２倍程度の大きさになっている。
【００２７】
図６に示すように、リブ先端突部３６Ｔの先端面は、下側水平リブ３２Ｂ全体の先端面と平行になっていて、リブ先端突部３６Ｔの左右方向の両端部は緩やかに傾斜して下側水平リブ３２Ｂ全体の先端面に繋がっている。また、各リブ先端突部３６Ｔの左右方向の大きさは、ホルダ係止突部３５の左右方向の幅に対して、例えば、４〜５倍程度の大きさになっていて、各リブ先端突部３６Ｔの左右方向における中間部に各ホルダ係止突部３５が対向している。
【００２８】
下側水平リブ３２Ｂには、ホルダ係止突部３５との対向部分を下方にクランク状に屈曲させて上面側に上面凹部３６Ｓが形成される一方、下面側に下面突部３６Ｖが形成されている。これら上面凹部３６Ｓ及び下面突部３６Ｖは、下側水平リブ３２Ｂの基端部からリブ先端突部３６Ｔの先端に亘って延びかつ、ホルダ係止突部３５より幅広になっていて、その上面凹部３６Ｓの深さ及び下面突部３６Ｖの突出量は、図７に示すように、例えば、下側水平リブ３２Ｂの板厚の約半分程度になっている。
【００２９】
図には明示されていないが、下側折曲側壁３２の下側水平リブ３２Ｂ全体は、底部ベース１１における外縁突壁１１Ｓの上面より上方に位置している。また、下側水平リブ３２Ｂ全体の先端面は、外縁突壁１１Ｓより内側に位置する一方、図７に示すように、リブ先端突部３６Ｔの先端面は、外縁突壁１１Ｓの上面における幅方向の中間に位置している。そして、外縁突壁１１Ｓの上面における内縁部のうち下面突部３６Ｖと対向する部分に上面陥没部１１Ｋが陥没形成され、その上面陥没部１１Ｋに下面突部３６Ｖが受容されている。
【００３０】
また、図５に示すように、上側折曲側壁３１の上側水平リブ３１Ａの先端部には、下側折曲側壁３２の１対のリブ先端突部３６Ｔ，３６Ｔと対応する部分に１対のリブ先端凹部３１Ｖ，３１Ｖが形成されている。図１０及び図１１に示すように、各リブ先端凹部３１Ｖは、上側水平リブ３１Ａの先端の一部をリブ先端突部３６Ｔと同じ形状に切除してなる。
【００３１】
なお、上側折曲側壁３１は、跳上側壁４０と同様に、中央平坦部３１Ｙのうち外縁部を除く領域を構成する無色透明な樹脂製の窓板部材３１Ｇと、その窓板部材３１Ｇ以外の不透明な樹脂製の枠部材３１Ｈとの一体成形品になっている。また、下側折曲側壁３２も同様に無色透明な樹脂製の窓板部材３２Ｇと不透明な樹脂製の枠部材３２Ｈとの一体成形品になっている。
【００３２】
図１２には、折畳コンテナ１０に取り付け可能なカードホルダ７０が示されている。カードホルダ７０は、帯状板７１に可撓片７４を突設してなる。帯状板７１には、長手方向の両端寄り位置の２箇所で、帯状板７１の幅方向の一側縁部を四角形に切除して１対の係止凹部７１Ａ，７１Ａが形成され、これら係止凹部７１Ａ，７１Ａ同士の間隔が、１対のホルダ係止突部３５，３５同士の間隔と同じになっている。なお、係止凹部７１Ａ，７１Ａを除き、帯状板７１は、長手方向全体で均一な幅をなしている。
【００３３】
また、可撓片７４は、帯状板７１のうち１対の係止凹部７１Ａ，７１Ａの間の２位置から上方に突出した１対の脚部７２，７２の上端部間を連絡部７３で連絡してなる。また、脚部７２，７２は、上方に向かうに従って帯状板７１における係止凹部７１Ａを有した一側縁部から離れる側に傾斜し、連絡部７３の上縁部は、上方に向かうに従って帯状板７１における係止凹部７１Ａを有した一側縁部側に近づくように傾斜している。
【００３４】
本実施形態の折畳コンテナ１０の構成に関する説明は以上である。次に、折畳コンテナ１０の作用効果について説明する。折畳コンテナ１０の下側折曲側壁３２にカードホルダ７０を取り付けるには、折畳コンテナ１０を図１に示した組立状態にして、図６に示した下側折曲側壁３２における１対のホルダ係止突部３５，３５に、図１２に示したカードホルダ７０における１対の係止凹部７１Ａ，７１Ａを対応させて、ホルダ係止突部３５と下側水平リブ３２Ｂとの間にカードホルダ７０の帯状板７１を押し込む。
【００３５】
帯状板７１がホルダ係止突部３５における係止突起３５Ｃの傾斜ガイド面３５Ｅ（図７参照）に摺接してホルダ係止突部３５が上方に押し上げられるように弾性変形し、帯状板７１の一側面が下側折曲側壁３２における中央平坦部３２Ｙの外面に当接又は接近したところで、ホルダ係止突部３５の係止突起３５Ｃが帯状板７１のうち係止凹部７１Ａが形成された幅狭部を乗り越えてホルダ係止突部３５が弾性復帰する。これにより、図８及び図９に示すように、係止突起３５Ｃが係止凹部７１Ａに係合し、ホルダ係止突部３５の下面のうち係止突起３５Ｃの両側部分が帯状板７１の上面における係止凹部７１Ａの両側縁部に面当接する。そして、係止突起３５Ｃの係止面３５Ｄと帯状板７１における係止凹部７１Ａの奥面とが面当接可能な状態で対向し、帯状板７１を単に引っ張っただけではホルダ係止突部３５と下側水平リブ３２Ｂとの間から抜くことができない状態になる。このようにして、帯状板７１が１対のホルダ係止突部３５，３５と下側水平リブ３２Ｂとの間に挟まれた状態に固定され、カードホルダ７０の下側折曲側壁３２への取り付けが完了する。
【００３６】
なお、本実施形態の折畳コンテナ１０では、図７に示すように、底部ベース１１における外縁突壁１１Ｓの上面の上面陥没部１１Ｋにリブ先端突部３６Ｔの下面突部３６Ｖが受容されているので、カードホルダ７０を取り付ける際に帯状板７１が誤って底部ベース１１の外縁突壁１１Ｓとリブ先端突部３６Ｔとの隙間に押し込まれることはない。
【００３７】
カードホルダ７０が下側折曲側壁３２に取り付けられると、図９に示すように、可撓片７４が下側折曲側壁３２の外面との間に隙間を空けて対向した状態になる。これにより、図１３に示すように、荷物の情報を記載したカード９０を、可撓片７４と下側折曲側壁３２との間に挿入して保持することができる。
【００３８】
ここで、本実施形態の折畳コンテナ１０では、下側折曲側壁３２の下側水平リブ３２Ｂのうち１対のホルダ係止突部３５，３５と対向部分の先端を部分的に先方に突出させて１対のリブ先端突部３６Ｔ，３６Ｔを形成したことで、カードホルダ７０の帯状板７１のうち下側水平リブ３２Ｂと１対のホルダ係止突部３５，３５とに挟まれる部分が、帯状板７１の幅方向で大きくなっている。これにより、例えば、可撓片７４が引っ張られるような負荷にも十分に対抗することができ、カードホルダ７０の帯状板７１の幅方向における傾動が抑えられ、カード９０を安定して保持することができる。
【００３９】
ところで、折畳コンテナ１０は、図１５に示すように、折り畳むことができる。具体的には、折畳コンテナ１０を折り畳むためには、例えば、カードホルダ７０を取り付けた状態のままで、１対の跳上側壁４０，４０をそれぞれ内側に回動してから１対の折曲側壁３０，３０をそれぞれ２つ折りに畳めばよい。すると、図１６に示すように、底部ベース１１における外縁突壁１１Ｓの上面に上部枠２０における外側枠側壁２０Ａの下面が当接した状態になる。この状態で、上部枠２０及び底部ベース１１の内側では、上側及び下側の折曲側壁３１，３２における外縁枠形突部３１Ｚ，３２Ｚの先端面同士が重ね合わされる。そして、カードホルダ７０が、上側及び下側の折曲側壁３１，３２の中央平坦部３１Ｙ，３２Ｙの間に形成された空間にホルダ係止突部３５と共に収容される。このとき、下側折曲側壁３２のリブ先端突部３６Ｔは、図１７に示すように、互いに重なる外縁枠形突部３１Ｚ，３２Ｚの先端面（図１７の符号３０Ｗ）より上側折曲側壁３１側に突出した状態になり、上側折曲側壁３１における上側水平リブ３１Ａのリブ先端凹部３１Ｖに受容される。これにより、カードホルダ７０の固定を安定させるためのリブ先端突部３６Ｔにより、折畳状態の折畳コンテナ１０が従来より大きくなるようなことがなくなる。即ち、本実施形態の折畳コンテナ１０によれば、折畳状態の折畳コンテナ１０を大きくすることなく、カードホルダ７０を安定して固定することができる。
【００４０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４１】
（１）前記実施形態のリブ先端突部３６Ｔは、１対のホルダ係止突部３５，３５に対応して２つ設けられていたが、下側水平リブのうち１対のホルダ係止突部の間の領域を下側水平リブ全体から突出させて、１対のホルダ係止突部に対して１つのリブ先端突部を備えた構成にしてよい。
【００４２】
（２）前記実施形態のカードホルダ７０は、帯状板７１に係止凹部７１Ａを備えて、そこにホルダ係止突部３５の係止突起３５Ｃが係合していたが、例えば、帯状板に係止突起を突出形成し、ホルダ係止突部の係止突起又はホルダ係止突部に形成した係合孔と係合するようにしてもよい。
【符号の説明】
【００４３】
１０    折畳コンテナ
１１    底部ベース
１１Ｓ    外縁突壁
２０    上部枠
３０    折曲側壁
３１    上側折曲側壁
３１Ａ    上側水平リブ（水平リブ）
３１Ｖ    リブ先端凹部
３１Ｙ    中央平坦部
３１Ｚ    外縁枠形突部
３２    下側折曲側壁
３２Ｂ    下側水平リブ（水平リブ）
３２Ｙ    中央平坦部
３２Ｚ    外縁枠形突部
３３    中間ヒンジ
３５    ホルダ係止突部
３６Ｔ    リブ先端突部
３６Ｖ    下面突部
４０    跳上側壁
７０    カードホルダ
７１    帯状板
７４    可撓片
９０    カード
【図１】
0005761752.tif 000002
【図２】
0005761752.tif 000003
【図３】
0005761752.tif 000004
【図４】
0005761752.tif 000005
【図５】
0005761752.tif 000006
【図６】
0005761752.tif 000007
【図７】
0005761752.tif 000008
【図８】
0005761752.tif 000009
【図９】
0005761752.tif 000010
【図１０】
0005761752.tif 000011
【図１１】
0005761752.tif 000012
【図１２】
0005761752.tif 000013
【図１３】
0005761752.tif 000014
【図１４】
0005761752.tif 000015
【図１５】
0005761752.tif 000016
【図１６】
0005761752.tif 000017
【図１７】
0005761752.tif 000018
【図１９】
0005761752.tif 000019
【図２０】
0005761752.tif 000020
【図１８】
0005761752.tif 000021